(57)【要約】【課題】携帯機器に記憶されたコンテンツをコンテンツ出力機器から出力する際にユーザに操作負担がかかるのを抑制することが可能なコンテンツ再生システムを提供する。【解決手段】このコンテンツ再生システム１は、位置情報を特定可能なＧＰＳ通信部１７とＢｌｕｅｔｏｏｔｈ通信部１８とを含む携帯電話機１０と、Ｂｌｕｅｔｏｏｔｈ通信部３７とコンテンツを出力可能なスピーカ３２とを含むホームシアターシステム３０とを備える。携帯電話機１０は、ＧＰＳ通信部１７により特定された携帯電話機本体１１の位置がホームシアターシステム３０の位置の所定の範囲内である場合に、コンテンツをＢｌｕｅｔｏｏｔｈ通信部１８を介してホームシアターシステム３０のスピーカ３２から出力させる通信信号をホームシアターシステム３０に送信する制御を行うＣＰＵ１４をさらに含む。【選択図】図１
2012182609.tif 000002
【特許請求の範囲】
【請求項１】
携帯機器本体と、コンテンツを再生可能な再生部と、前記携帯機器本体の位置情報を特定可能な位置特定部と、外部と通信可能な第１通信部とを含む携帯機器と、
前記携帯機器の第１通信部と通信可能な第２通信部と、コンテンツを出力可能な第１出力部とを含むコンテンツ出力機器とを備え、
前記携帯機器は、前記位置特定部により特定された前記携帯機器本体の位置情報の位置が前記コンテンツ出力機器の位置の所定の範囲内である場合に、前記再生部により再生されるコンテンツを前記第１通信部を介して前記コンテンツ出力機器の第１出力部から出力させる通信信号を前記コンテンツ出力機器に送信する制御を行う制御部をさらに含む、コンテンツ再生システム。
【請求項２】
前記携帯機器は、記憶部をさらに含み、
前記携帯機器の制御部は、前記携帯機器の第１通信部と前記コンテンツ出力機器の第２通信部とが互いに通信可能なように設定されたときに、設定された位置における前記位置特定部により特定された位置情報を前記記憶部に記憶させるように構成されている、請求項１に記載のコンテンツ再生システム。
【請求項３】
前記携帯機器は、前記コンテンツ出力機器と通信可能な第３通信部をさらに含み、
前記携帯機器の制御部は、前記再生部によりコンテンツを再生する制御が行われる場合において、前記位置特定部により特定された前記携帯機器本体の位置情報の位置が前記コンテンツ出力機器の位置の所定の範囲内である場合に、前記第３通信部を介して前記コンテンツ出力機器をオフ状態からオン状態に切り替える通信信号を前記コンテンツ出力機器に送信する制御を行うように構成されている、請求項１または２に記載のコンテンツ再生システム。
【請求項４】
前記携帯機器の制御部は、前記第３通信部を介して前記コンテンツ出力機器をオフ状態からオン状態に切り替えるとともに、前記コンテンツ出力機器の第２通信部を起動させる通信信号を前記コンテンツ出力機器に送信する制御を行うように構成されている、請求項３に記載のコンテンツ再生システム。
【請求項５】
前記携帯機器は、コンテンツを出力可能な第２出力部をさらに含み、
前記携帯機器の制御部は、前記再生部によりコンテンツを再生する制御が行われる場合において、前記位置特定部により特定された前記携帯機器本体の位置情報の位置が前記コンテンツ出力機器の位置の所定の範囲内ではない場合に、前記コンテンツを前記第２出力部から出力させる制御を行うように構成されている、請求項１〜４のいずれか１項に記載のコンテンツ再生システム。
【請求項６】
前記携帯機器の位置特定部は、ＧＰＳ通信部を含む、請求項１〜５のいずれか１項に記載のコンテンツ再生システム。
【請求項７】
携帯機器本体と、
コンテンツを再生可能な再生部と、
前記携帯機器本体の位置情報を特定可能な位置特定部と、
所定のコンテンツ出力機器と通信可能な通信部と、
前記位置特定部により特定された前記携帯機器本体の位置情報の位置が前記所定のコンテンツ出力機器の位置の所定の範囲内である場合に、前記再生部により再生されるコンテンツを前記通信部を介して前記所定のコンテンツ出力機器から出力させる通信信号を前記所定のコンテンツ出力機器に送信する制御を行う制御部とを備える、携帯機器。
【発明の詳細な説明】
【技術分野】
【０００１】
この発明は、コンテンツ再生システムおよび携帯機器に関し、特に、コンテンツを再生可能な携帯機器およびそれを備えるコンテンツ再生システムに関する。
【背景技術】
【０００２】
従来、コンテンツを再生可能な携帯機器およびそれを備えるコンテンツ再生システムが知られている（たとえば、特許文献１参照）。
【０００３】
上記特許文献１には、コンテンツのデータを外部に送信可能な通信部を備えるコンテンツを再生可能な携帯電話（携帯機器）と、操作部およびスピーカを備え、ユーザが操作部を操作することにより、携帯電話の通信部を介して送信されるコンテンツをスピーカから出力するオーディオ機器（コンテンツ出力機器）とからなるコンテンツ再生システムが開示されている。具体的には、上記特許文献１によるコンテンツ再生システムでは、ユーザが携帯電話に対して所定の操作を行うことによって、携帯電話の通信部を介して携帯電話に記憶されているコンテンツのリストデータがオーディオ機器に送信されるとともに、オーディオ機器側で携帯電話に記憶されているコンテンツのリストが表示される。そして、ユーザは、オーディオ機器に対して、リストから選択したコンテンツを再生させる操作を行うことによって、オーディオ機器のスピーカから携帯電話に記憶されたコンテンツを出力させることが可能である。
【先行技術文献】
【特許文献】
【０００４】
【特許文献１】特開２００８−１２３６２１号公報
【発明の概要】
【発明が解決しようとする課題】
【０００５】
しかしながら、上記特許文献１によるコンテンツ再生システムでは、携帯電話（携帯機器）に記憶されているコンテンツをオーディオ機器（コンテンツ出力機器）のスピーカから出力させる際に、ユーザは、携帯電話に対して所定の操作を行うとともに、オーディオ機器に対してもコンテンツの再生操作を行う必要があるため、オーディオ機器（コンテンツ出力機器）から携帯電話（携帯機器）に記憶されたコンテンツを出力する際にユーザに操作負担がかかるという問題点がある。
【０００６】
この発明は、上記のような課題を解決するためになされたものであり、この発明の１つの目的は、携帯機器に記憶されたコンテンツをコンテンツ出力機器から出力する際にユーザに操作負担がかかるのを抑制することが可能なコンテンツ再生システムおよび携帯機器を提供することである。
【課題を解決するための手段および発明の効果】
【０００７】
この発明の第１の局面によるコンテンツ再生システムは、携帯機器本体と、コンテンツを再生可能な再生部と、携帯機器本体の位置情報を特定可能な位置特定部と、外部と通信可能な第１通信部とを含む携帯機器と、携帯機器の第１通信部と通信可能な第２通信部と、コンテンツを出力可能な第１出力部とを含むコンテンツ出力機器とを備え、携帯機器は、位置特定部により特定された携帯機器本体の位置情報の位置がコンテンツ出力機器の位置の所定の範囲内である場合に、再生部により再生されるコンテンツを第１通信部を介してコンテンツ出力機器の第１出力部から出力させる通信信号をコンテンツ出力機器に送信する制御を行う制御部をさらに含む。
【０００８】
この第１の局面によるコンテンツ再生システムでは、上記のように、位置特定部により特定された携帯機器本体の位置情報の位置がコンテンツ出力機器の位置の所定の範囲内である場合に、再生部により再生されるコンテンツを第１通信部を介してコンテンツ出力機器の第１出力部から出力させる通信信号をコンテンツ出力機器に送信させるように携帯機器の制御部を構成することによって、携帯機器がコンテンツ出力機器の所定の範囲内に存在する場合には、ユーザは携帯機器に対してコンテンツを再生させる操作を行うだけで、制御部により、コンテンツ出力機器からそのコンテンツを出力させる通信信号が自動的にコンテンツ出力機器に送信されるので、ユーザは、コンテンツ出力機器に対してコンテンツの再生操作を行う必要がない。これにより、携帯機器のコンテンツをコンテンツ出力機器から出力する際に、ユーザに操作負担がかかるのを抑制することができる。
【０００９】
上記第１の局面によるコンテンツ再生システムにおいて、好ましくは、携帯機器は、記憶部をさらに含み、携帯機器の制御部は、携帯機器の第１通信部とコンテンツ出力機器の第２通信部とが互いに通信可能なように設定されたときに、設定された位置における位置特定部により特定された位置情報を記憶部に記憶させるように構成されている。このように構成すれば、携帯機器の第１通信部とコンテンツ出力機器の第２通信部とが互いに通信可能なように設定された際の位置に基づいて、携帯機器がコンテンツ出力機器の位置の所定の範囲内であるか否かを容易に判断することができる。
【００１０】
上記第１の局面によるコンテンツ再生システムにおいて、好ましくは、携帯機器は、コンテンツ出力機器と通信可能な第３通信部をさらに含み、携帯機器の制御部は、再生部によりコンテンツを再生する制御が行われる場合において、位置特定部により特定された携帯機器本体の位置情報の位置がコンテンツ出力機器の位置の所定の範囲内である場合に、第３通信部を介してコンテンツ出力機器をオフ状態からオン状態に切り替える通信信号をコンテンツ出力機器に送信する制御を行うように構成されている。このように構成すれば、携帯機器のコンテンツをコンテンツ出力機器から出力する際に、コンテンツ出力機器がオフ状態であっても、ユーザがコンテンツ出力機器をオフ状態からオン状態に切り替える操作を行うことなく、コンテンツ出力機器がオン状態に切り替えられるので、ユーザに操作負担がかかるのをより抑制することができる。
【００１１】
この場合において、好ましくは、携帯機器の制御部は、第３通信部を介してコンテンツ出力機器をオフ状態からオン状態に切り替えるとともに、コンテンツ出力機器の第２通信部を起動させる通信信号をコンテンツ出力機器に送信する制御を行うように構成されている。このように構成すれば、ユーザは、コンテンツ出力機器をオフ状態からオン状態に切り替える必要がないとともに、携帯機器の第１通信部と通信可能な第２通信部を起動させる操作も行う必要がないので、ユーザの操作負担をさらに抑制することができる。
【００１２】
上記第１の局面によるコンテンツ再生システムにおいて、好ましくは、携帯機器は、コンテンツを出力可能な第２出力部をさらに含み、携帯機器の制御部は、再生部によりコンテンツを再生する制御が行われる場合において、位置特定部により特定された携帯機器本体の位置情報の位置がコンテンツ出力機器の位置の所定の範囲内ではない場合に、コンテンツを第２出力部から出力させる制御を行うように構成されている。このように構成すれば、位置特定部により特定された携帯機器本体の位置情報の位置がコンテンツ出力機器の位置の所定の範囲内ではない場合には、ユーザがコンテンツの出力先をコンテンツ出力機器から携帯機器に切り替える操作を行わなくても、自動的に携帯機器でコンテンツの出力を行うことができる。これにより、ユーザの操作負担をより抑制することができる。
【００１３】
上記第１の局面によるコンテンツ再生システムにおいて、好ましくは、携帯機器の位置特定部は、ＧＰＳ通信部を含む。このように構成すれば、ＧＰＳ通信部により、容易に、携帯機器の位置情報を取得することができる。
【００１４】
この発明の第２の局面による携帯機器は、携帯機器本体と、コンテンツを再生可能な再生部と、携帯機器本体の位置情報を特定可能な位置特定部と、所定のコンテンツ出力機器と通信可能な通信部と、位置特定部により特定された携帯機器本体の位置情報の位置が所定のコンテンツ出力機器の位置の所定の範囲内である場合に、再生部により再生されるコンテンツを通信部を介して所定のコンテンツ出力機器から出力させる通信信号を所定のコンテンツ出力機器に送信する制御を行う制御部とを備える。
【００１５】
この第２の局面による携帯機器では、上記のように、位置特定部により特定された携帯機器本体の位置情報の位置が所定のコンテンツ出力機器の位置の所定の範囲内である場合に、再生部により再生されるコンテンツを第１通信部を介して所定のコンテンツ出力機器の第１出力部から出力させる通信信号を所定のコンテンツ出力機器に送信させることによって、携帯機器が所定のコンテンツ出力機器の所定の範囲内に存在する場合には、ユーザは携帯機器に対してコンテンツを再生させる操作を行うだけで、制御部により、所定のコンテンツ出力機器からそのコンテンツを出力させる通信信号が自動的にコンテンツ出力機器に送信されるので、ユーザは、所定のコンテンツ出力機器に対してコンテンツの再生操作を行う必要がない。これにより、携帯機器のコンテンツを所定のコンテンツ出力機器から出力する際に、ユーザに操作負担がかかるのを抑制することができる。
【図面の簡単な説明】
【００１６】
【図１】本発明の一実施形態によるコンテンツ再生システムの全体構成を説明するための模式図である。
【図２】本発明の一実施形態によるコンテンツ再生システムの携帯電話機の構成を説明するためのブロック図である。
【図３】本発明の一実施形態によるコンテンツ再生システムのホームシアターシステムの構成を説明するためのブロック図である。
【図４】本発明の一実施形態によるコンテンツ再生システムにおけるコンテンツの再生フローを説明するためのフローチャートである。
【発明を実施するための形態】
【００１７】
以下、本発明を具体化した実施形態を図面に基づいて説明する。
【００１８】
まず、図１〜図３を参照して、本発明の一実施形態によるコンテンツ再生システム１の構成について説明する。
【００１９】
図１に示すように、コンテンツ再生システム１は、音楽または動画などのコンテンツを再生可能な携帯電話機１０と、音楽または動画などのコンテンツを出力可能なホームシアターシステム（ＨＴＳ）３０とにより構成されている。なお、携帯電話機１０は、本発明の「携帯機器」の一例であり、ホームシアターシステム３０は、本発明の「コンテンツ出力機器」の一例である。このコンテンツ再生システム１は、携帯電話機１０がホームシアターシステム３０が配置されている位置から所定の範囲内に位置する場合において、ユーザが携帯電話機１０のコンテンツを再生する操作を行った場合に、携帯電話機１０のコンテンツをホームシアターシステム３０で出力（再生）するシステムである。以下、コンテンツ再生システム１の構成について詳細に説明する。
【００２０】
コンテンツ再生システム１の携帯電話機１０は、図１および図２に示すように、携帯電話機本体１１と、携帯電話機本体１１に設けられたタッチパネル表示部１２と、携帯電話機１０により再生されるコンテンツの音声を出力可能なスピーカ１３（図２参照）とを備えている。なお、携帯電話機本体１１は、本発明の「携帯機器本体」の一例であり、スピーカ１３は、本発明の「第２出力部」の一例である。
【００２１】
また、携帯電話機１０は、さらに、図２に示すように、携帯電話機１０の制御を司るＣＰＵ１４と、コンテンツデータを格納するメモリ１５と、コンテンツの再生処理を行うコンテンツ処理部１６と、携帯電話機本体１１の位置情報を特定可能なＧＰＳ通信部１７と、Ｂｌｕｅｔｏｏｔｈ（登録商標）による無線通信が可能なＢｌｕｅｔｏｏｔｈ通信部１８と、無線ＬＡＮ通信が可能な無線ＬＡＮ通信部１９と、電話通信可能な３Ｇ回線通信部２０とを備えている。なお、ＣＰＵ１４は、本発明の「制御部」の一例であり、メモリ１５は、本発明の「記憶部」の一例である。また、コンテンツ処理部１６は、本発明の「再生部」の一例であり、ＧＰＳ通信部１７は、本発明の「位置特定部」の一例である。また、Ｂｌｕｅｔｏｏｔｈ通信部１８は、本発明の「第１通信部」および「通信部」の一例であり、無線ＬＡＮ通信部１９は、本発明の「第３通信部」の一例である。
【００２２】
メモリ１５は、携帯電話機１０を制御するプログラムや、音楽および動画などのコンテンツデータなどを格納するように構成されている。また、ＣＰＵ１４の制御に基づいて、メモリ１５には、後述する携帯電話機１０のＢｌｕｅｔｏｏｔｈ通信部１８とホームシアターシステム３０のＢｌｕｅｔｏｏｔｈ通信部３７（図３参照）とがペアリング設定された際の、ＧＰＳ通信部１７により特定されたペアリング時の位置情報が記憶されるように構成されている。また、メモリ１５には、携帯電話機１０のＢｌｕｅｔｏｏｔｈ通信部１８とホームシアターシステム３０のＢｌｕｅｔｏｏｔｈ通信部３７とがペアリング設定された際のペアリングパスキーが記憶されるように構成されている。なお、ペアリング設定とは、２つのＢｌｕｅｔｏｏｔｈ通信部を相互認証させることにより互いに自動的に通信可能とするためのパスキーを２つのＢｌｕｅｔｏｏｔｈ通信部に設定することである。
【００２３】
コンテンツ処理部１６は、メモリ１５に記憶されているコンテンツを携帯電話機１０のタッチパネル表示部１２およびスピーカ１３により出力するための処理を行う機能を有する。また、ＧＰＳ通信部１７は、複数のＧＰＳ衛星（図示せず）からの発信電波を受信するように構成されている。また、ＧＰＳ通信部１７は、受信した電波に基づいて、携帯電話機本体１１の位置情報を取得するように構成されている。
【００２４】
Ｂｌｕｅｔｏｏｔｈ通信部１８は、予めペアリング設定が行われているホームシアターシステム３０のＢｌｕｅｔｏｏｔｈ通信部３７（図３参照）などのＢｌｕｅｔｏｏｔｈ通信機能を有する機器と無線通信することが可能なように構成されている。また、携帯電話機１０のＢｌｕｅｔｏｏｔｈ通信部１８は、コンテンツ処理部１６により処理されたコンテンツデータをペアリング済みのコンテンツ出力機器（ホームシアターシステム３０など）にストリーミング送信することが可能なように構成されている。なお、本実施形態では、図１に示すように、携帯電話機１０のＢｌｕｅｔｏｏｔｈ通信部１８とホームシアターシステム３０のＢｌｕｅｔｏｏｔｈ通信部３７とは、互いに通信可能なように予めペアリング設定されているものとする。
【００２５】
また、図２に示すように、無線ＬＡＮ通信部１９は、無線ＬＡＮのスポット（図示せず）およびインターネット層（図１参照）を介して他のインターネット接続機器（ホームシアターシステム３０など）とインターネット通信を行うことが可能なように構成されている。また、３Ｇ回線通信部２０は、携帯電話キャリアの基地局（図示せず）を介して他の電話機（図示せず）などと電話通信およびインターネット通信を行うことが可能なように構成されている。また、３Ｇ回線通信部２０は、他の電話機（図示せず）のみならず、インターネット接続機器（ホームシアターシステム３０（図１参照）など）とインターネット通信を行うことが可能なように構成されている。
【００２６】
ここで、本実施形態では、携帯電話機１０のＣＰＵ１４は、携帯電話機１０のタッチパネル表示部１２およびスピーカ１３から再生されるコンテンツをホームシアターシステム３０（図１参照）から出力させるように、通信信号をホームシアターシステム３０に送信する制御を行うように構成されている。具体的には、ＣＰＵ１４は、タッチパネル表示部１２の操作に基づいてコンテンツの再生ボタン１２ａ（図１参照）がタッチされた場合に、タッチされた時点における位置情報をＧＰＳ通信部１７から取得するように構成されている。そして、ＣＰＵ１４は、ＧＰＳ通信部１７により特定された携帯電話機本体１１の位置情報の位置が予めペアリングされているホームシアターシステム３０の位置の所定の範囲内の位置であるか否かを判断するように構成されている。なお、本実施形態では、ＣＰＵ１４は、メモリ１５に記憶されているペアリング時の位置情報に基づいて、ペアリング時の位置情報の位置から半径約１５メートル以内に位置していると判断した場合に、ペアリングされているホームシアターシステム３０の位置の所定の範囲内の位置であると判断する制御を行うように構成されている。
【００２７】
また、本実施形態では、ＣＰＵ１４は、特定された携帯電話機本体１１の位置情報の位置が予め携帯電話機１０とペアリングされているホームシアターシステム３０（図１参照）の位置の所定の範囲内の位置である場合に、無線ＬＡＮ通信部１９を介して、ホームシアターシステム３０をオフ状態からオン状態に切り替える通信信号をホームシアターシステム３０に送信する制御を行うように構成されている。また、ＣＰＵ１４は、無線ＬＡＮ通信部１９を介して、ホームシアターシステム３０をオフ状態からオン状態に切り替える通信信号とともに、ホームシアターシステム３０のＢｌｕｅｔｏｏｔｈ通信部３７（図３参照）を起動する通信信号も送信する制御を行うように構成されている。
【００２８】
また、本実施形態では、ＣＰＵ１４は、無線ＬＡＮ通信部１９を介してホームシアターシステム３０（図１参照）に上記２つの信号を送信した後に、Ｂｌｕｅｔｏｏｔｈ通信部１８を介して、コンテンツデータをホームシアターシステム３０にストリーミング送信する制御を行うように構成されている。また、ＣＰＵ１４は、特定された携帯電話機本体１１の位置情報の位置が予め携帯電話機１０とペアリングされているホームシアターシステム３０の位置の所定の範囲外の位置である場合に、コンテンツデータをホームシアターシステム３０に送信せずに、携帯電話機１０のスピーカ１３からコンテンツ（音声コンテンツ）を出力する制御を行うように構成されている。
【００２９】
また、ホームシアターシステム３０は、図１および図３に示すように、ホームシアターシステム本体３１と、ホームシアターシステム３０または携帯電話機１０により再生されるコンテンツの音声などを出力可能なスピーカ３２（図３参照）とを備えている。なお、スピーカ３２は、本発明の「第１出力部」の一例である。
【００３０】
また、ホームシアターシステム３０は、さらに、図３に示すように、ホームシアターシステム３０の制御を司るＣＰＵ３３と、コンテンツデータを格納するメモリ３４と、コンテンツのデコード処理を行うＡＶデコーダ３５と、ＡＶデコーダ３５により処理された映像コンテンツを外部に出力する映像出力インターフェース３６と、Ｂｌｕｅｔｏｏｔｈ（登録商標）による無線通信が可能なＢｌｕｅｔｏｏｔｈ通信部３７と、有線ＬＡＮ通信が可能なＬＡＮ通信部３８と、ＤＶＤディスクおよびブルーレイ（登録商標）ディスクを読み取るディスクドライバー３９と、外部から入力された音声信号を入力することが可能な音声入力インターフェース４０とを備えている。なお、Ｂｌｕｅｔｏｏｔｈ通信部３７は、本発明の「第２通信部」の一例である。
【００３１】
メモリ３４には、携帯電話機１０のＢｌｕｅｔｏｏｔｈ通信部１８（図２参照）とホームシアターシステム３０のＢｌｕｅｔｏｏｔｈ通信部３７とがペアリング設定された際のペアリングパスキーが記憶されるように構成されている。また、ＬＡＮ通信部３８は、インターネット層（図１参照）を介して他のインターネット接続機器（携帯電話機１０（図１参照）など）とインターネット通信を行うことが可能なように構成されている。
【００３２】
また、ホームシアターシステム３０のＣＰＵ３３は、ＬＡＮ通信部３８を介して、ペアリング設定された携帯電話機１０（図１参照）からホームシアターシステム３０をオフ状態からオン状態に切り替える通信信号を受信したと判断した場合に、ホームシアターシステム３０をオフ状態（スタンバイ状態）からオン状態に切り替える制御を行うように構成されている。また、ＣＰＵ３３は、ＬＡＮ通信部３８を介して、ペアリング設定された携帯電話機１０からホームシアターシステム３０のＢｌｕｅｔｏｏｔｈ通信部３７を起動する通信信号を受信したと判断した場合に、Ｂｌｕｅｔｏｏｔｈ通信部３７を起動する制御を行うように構成されている。
【００３３】
次に、図１〜図４を参照して、本実施形態によるコンテンツ再生システム１におけるコンテンツの再生フローについて説明する。
【００３４】
まず、図４に示すように、ステップＳ１において、携帯電話機１０のＣＰＵ１４（図２参照）により、ユーザによるタッチパネル表示部１２の操作に基づいて、タッチパネル表示部１２に表示されている再生ボタン１２ａが押下されたか否かが判断される。そして、ステップＳ１において、タッチパネル表示部１２に表示されている再生ボタン１２ａが押下されたと判断された場合には、ステップＳ２に進む。なお、タッチパネル表示部１２に表示されている再生ボタン１２ａが押下されたと判断されるまで、ステップＳ１の判断が繰り返される。
【００３５】
その後、ステップＳ２において、携帯電話機１０のＣＰＵ１４により、携帯電話機１０のＢｌｕｅｔｏｏｔｈ通信部１８（図２参照）とホームシアターシステム３０のＢｌｕｅｔｏｏｔｈ通信部３７（図３参照）とが予めペアリング設定されているか否かが判断される。そして、ステップＳ２において、携帯電話機１０のＢｌｕｅｔｏｏｔｈ通信部１８とホームシアターシステム３０のＢｌｕｅｔｏｏｔｈ通信部３７とが予めペアリング設定されていないと判断された場合には、ステップＳ３に進む。そして、ステップＳ３において、内部再生処理が行われる。すなわち、ステップＳ３において、コンテンツ処理部１６により携帯電話機１０のコンテンツの再生処理が行われるとともに、再生処理が行われたコンテンツが携帯電話機１０のタッチパネル表示部１２（図２参照）およびスピーカ１３（図２参照）から出力され、コンテンツ再生システム１におけるコンテンツの再生フローが終了する。
【００３６】
また、ステップＳ２において、携帯電話機１０のＢｌｕｅｔｏｏｔｈ通信部１８とホームシアターシステム３０のＢｌｕｅｔｏｏｔｈ通信部３７とが予めペアリング設定されていると判断された場合には、ステップＳ４に進む。そして、ステップＳ４において、携帯電話機本体１１の位置が、予めＢｌｕｅｔｏｏｔｈ通信部１８とＢｌｕｅｔｏｏｔｈ通信部３７とがペアリング設定された位置から所定の範囲内（半径約１５メートル以内）である（近い）か否かが判断される。すなわち、ステップＳ４において、ＣＰＵ１４により、ＧＰＳ通信部１７に現在位置を特定させる制御が行われるとともに、特定された現在位置がペアリング設定された位置から半径約１５メートル以内か否かが判断される。そして、ステップＳ４において、携帯電話機本体１１の位置がペアリング設定された位置から所定の範囲内ではない（遠い）と判断された場合には、上述したステップＳ３に進む。そして、ステップＳ３において、内部再生処理が行われ、その後、コンテンツ再生システム１におけるコンテンツの再生フローが終了する。また、ステップＳ４において、携帯電話機本体１１の位置がペアリング設定された位置から所定の範囲内であると判断された場合には、ステップＳ５に進む。
【００３７】
ステップＳ５においては、ホームシアターシステム３０をオン状態にする通信信号（ＩＰ信号）およびホームシアターシステム３０のＢｌｕｅｔｏｏｔｈ通信部３７を起動する通信信号（ＩＰ信号）が送信される。これら２つの通信信号は、無線ＬＡＮ通信部１９およびインターネット層（図１参照）を介して、ホームシアターシステム３０のＬＡＮ通信部３８により受信される。
【００３８】
これにより、ホームシアターシステム３０では、ステップＳ１１において、ＣＰＵ３３により、ホームシアターシステム本体３１がオン状態であるか否かが判断される。そして、ステップＳ１１において、ホームシアターシステム本体３１がオン状態ではないと判断された場合には、ステップＳ１２に進む。そして、ステップＳ１２において、ホームシアターシステム本体３１がオフ状態（スタンバイ状態）からオン状態に切り替えられ、ステップＳ１３に進む。また、ステップＳ１１において、ホームシアターシステム本体３１がオン状態であると判断された場合には、ステップＳ１３に進む。その後、ステップＳ１３において、ホームシアターシステム３０のＢｌｕｅｔｏｏｔｈ通信部３７が起動される。また、ステップＳ１３において、Ｂｌｕｅｔｏｏｔｈ通信部３７と通信するＢｌｕｅｔｏｏｔｈ通信部のペアリングパスキーの確認が行われる。
【００３９】
その後、ステップＳ１４において、ホームシアターシステム３０のＣＰＵ３３により、Ｂｌｕｅｔｏｏｔｈ通信部３７と通信するＢｌｕｅｔｏｏｔｈ通信部のペアリングパスキーが、予めペアリング設定されている携帯電話機１０のＢｌｕｅｔｏｏｔｈ通信部１８のペアリングパスキーであるか否かが判断される。そして、ステップＳ１４において、Ｂｌｕｅｔｏｏｔｈ通信部３７と通信するＢｌｕｅｔｏｏｔｈ通信部のペアリングパスキーが、予めペアリング設定されている携帯電話機１０のＢｌｕｅｔｏｏｔｈ通信部１８のペアリングパスキーであると判断された場合には、ステップＳ１５に進む。
【００４０】
そして、ステップＳ１５において、携帯電話機１０のコンテンツ処理部１６により再生処理されたコンテンツデータ（音響データや音声データ）が、携帯電話機１０のＢｌｕｅｔｏｏｔｈ通信部１８を介してＢｌｕｅｔｏｏｔｈ通信部３７により受信され、ホームシアターシステム３０のスピーカ３２からコンテンツ（音声など）が出力され、コンテンツ再生システム１におけるコンテンツの再生フローが終了する。また、ステップＳ１４において、Ｂｌｕｅｔｏｏｔｈ通信部３７と通信するＢｌｕｅｔｏｏｔｈ通信部のペアリングパスキーが、予めペアリング設定されている携帯電話機１０のＢｌｕｅｔｏｏｔｈ通信部１８のペアリングパスキーではないと判断された場合には、ホームシアターシステム３０側でコンテンツの出力が行われることなく、コンテンツ再生システム１におけるコンテンツの再生フローが終了する。
【００４１】
また、携帯電話機１０では、ステップＳ５において２つの通信信号を送信した後に、ステップＳ６において、携帯電話機１０のＢｌｕｅｔｏｏｔｈ通信部１８が起動される。また、ステップＳ６において、Ｂｌｕｅｔｏｏｔｈ通信部１８と通信するＢｌｕｅｔｏｏｔｈ通信部のペアリングパスキーの確認が行われる。
【００４２】
その後、ステップＳ７において、携帯電話機１０のＣＰＵ１４により、Ｂｌｕｅｔｏｏｔｈ通信部１８と通信するＢｌｕｅｔｏｏｔｈ通信部のペアリングパスキーが、予めペアリング設定されているホームシアターシステム３０のＢｌｕｅｔｏｏｔｈ通信部３７のペアリングパスキーであるか否かが判断される。そして、ステップＳ７において、Ｂｌｕｅｔｏｏｔｈ通信部１８と通信するＢｌｕｅｔｏｏｔｈ通信部のペアリングパスキーが、予めペアリング設定されているホームシアターシステム３０のＢｌｕｅｔｏｏｔｈ通信部３７のペアリングパスキーであると判断された場合には、ステップＳ８に進む。
【００４３】
そして、ステップＳ８において、外部再生処理が行われる。具体的には、ステップＳ８において、コンテンツ処理部１６により再生処理されたコンテンツデータが、Ｂｌｕｅｔｏｏｔｈ通信部１８を介してホームシアターシステム３０のＢｌｕｅｔｏｏｔｈ通信部３７にストリーミング送信（図１参照）される。そして、上述したように、ストリーミング送信されたコンテンツ（音響データや音声データ）がホームシアターシステム３０のスピーカ３２から出力され、コンテンツ再生システム１におけるコンテンツの再生フローが終了する。
【００４４】
また、ステップＳ７において、Ｂｌｕｅｔｏｏｔｈ通信部１８と通信するＢｌｕｅｔｏｏｔｈ通信部のペアリングパスキーが、予めペアリング設定されているホームシアターシステム３０のＢｌｕｅｔｏｏｔｈ通信部３７のペアリングパスキーではないと判断された場合には、上述したステップＳ３に進む。そして、ステップＳ３において、内部再生処理が行われ、その後、コンテンツ再生システム１におけるコンテンツの再生フローが終了する。
【００４５】
本実施形態では、上記のように、位置特定部により特定された携帯電話機本体１１の位置情報の位置がホームシアターシステム３０の位置の所定の範囲内である場合に、コンテンツ処理部１６により再生されるコンテンツをＢｌｕｅｔｏｏｔｈ通信部１８を介してホームシアターシステム３０のスピーカ３２から出力させる通信信号をホームシアターシステム３０に送信させるように携帯電話機１０のＣＰＵ１４を構成することによって、携帯電話機１０がホームシアターシステム３０の所定の範囲内に存在する場合には、ユーザが携帯電話機１０に対してコンテンツを再生させる操作を行うだけで、ＣＰＵ１４により、ホームシアターシステム３０からそのコンテンツを出力させる通信信号が自動的にホームシアターシステム３０に送信されるので、ユーザは、ホームシアターシステム３０に対してコンテンツの再生操作を行う必要がない。これにより、携帯電話機１０のコンテンツをホームシアターシステム３０から出力する際に、ユーザに操作負担がかかるのを抑制することができる。
【００４６】
また、本実施形態では、上記のように、携帯電話機１０のＣＰＵ１４を、携帯電話機１０のＢｌｕｅｔｏｏｔｈ通信部１８とホームシアターシステム３０のＢｌｕｅｔｏｏｔｈ通信部３７とが互いに通信可能なように設定されたときに、設定された位置におけるＧＰＳ通信部１７により特定された位置情報をメモリ１５に記憶させるように構成することによって、携帯電話機１０のＢｌｕｅｔｏｏｔｈ通信部１８とホームシアターシステム３０のＢｌｕｅｔｏｏｔｈ通信部３７とが互いに通信可能なように設定（ペアリング設定）された際の位置に基づいて、携帯電話機１０がホームシアターシステム３０の位置の所定の範囲内であるか否かを容易に判断することができる。
【００４７】
また、本実施形態では、上記のように、携帯電話機１０のＣＰＵ１４を、コンテンツ処理部１６によりコンテンツを再生する制御が行われる場合において、ＧＰＳ通信部１７により特定された携帯電話機本体１１の位置情報の位置がホームシアターシステム３０の位置の所定の範囲内である場合に、無線ＬＡＮ通信部１９を介してホームシアターシステム３０をオフ状態からオン状態に切り替える通信信号をホームシアターシステム３０に送信する制御を行うように構成する。これにより、携帯電話機１０のコンテンツをホームシアターシステム３０から出力する際に、ホームシアターシステム３０がオフ状態であっても、ユーザがホームシアターシステム３０をオフ状態からオン状態に切り替える操作を行うことなく、ホームシアターシステム３０がオン状態に切り替えられるので、ユーザに操作負担がかかるのをより抑制することができる。
【００４８】
また、本実施形態では、上記のように、携帯電話機１０のＣＰＵ１４を、無線ＬＡＮ通信部１９を介してホームシアターシステム３０をオフ状態からオン状態に切り替えるとともに、ホームシアターシステム３０のＢｌｕｅｔｏｏｔｈ通信部３７を起動させる通信信号をホームシアターシステム３０に送信する制御を行うように構成する。これにより、ユーザは、ホームシアターシステム３０をオフ状態からオン状態に切り替える必要がないとともに、携帯電話機１０のＢｌｕｅｔｏｏｔｈ通信部１８と通信可能なＢｌｕｅｔｏｏｔｈ通信部３７を起動させる操作も行う必要がないので、ユーザの操作負担をさらに抑制することができる。
【００４９】
また、本実施形態では、上記のように、携帯電話機１０のＣＰＵ１４を、コンテンツ処理部１６によりコンテンツを再生する制御が行われる場合において、ＧＰＳ通信部１７により特定された携帯電話機本体１１の位置情報の位置がホームシアターシステム３０の位置の所定の範囲内ではない場合に、コンテンツをタッチパネル表示部１２およびスピーカ１３から出力させる制御を行うように構成する。これにより、ＧＰＳ通信部１７により特定された携帯電話機本体１１の位置情報の位置がホームシアターシステム３０の位置の所定の範囲内ではない場合には、ユーザがコンテンツの出力先をホームシアターシステム３０から携帯電話機１０に切り替える操作を行わなくても、自動的に携帯電話機１０でコンテンツの出力を行うことができる。その結果、ユーザの操作負担をより抑制することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明の携帯機器の一例として、携帯電話機を用いた例について示したが、本発明はこれに限られない。たとえば、コンテンツを再生可能な携帯型コンテンツ再生プレーヤーなどの、コンテンツを再生可能な携帯機器を用いてもよい。
【００５２】
また、上記実施形態では、本発明のコンテンツ出力機器の一例として、ホームシアターシステムを用いた例について示したが、本発明はこれに限られない。たとえば、コンテンツを出力可能なテレビジョン装置、オーディオ機器およびパーソナルコンピュータなどの、ホームシアターシステム以外のコンテンツ出力機器を用いてもよい。
【００５３】
また、上記実施形態では、本発明のコンテンツ出力機器（ホームシアターシステム）から、音声など（音響および音声データ）からなるコンテンツ（データ）を出力する例について示したが、本発明はこれに限られない。たとえば、画像および映像などの音声以外のコンテンツをコンテンツ出力機器から出力するようにしてもよいし、音声、画像および映像からなる複合コンテンツをコンテンツ出力機器から出力するようにしてもよい。
【００５４】
また、上記実施形態では、Ｂｌｕｅｔｏｏｔｈ通信部を用いることにより携帯電話機からホームシアターシステムにコンテンツデータを送信する例について示したが、本発明はこれに限られない。たとえば、携帯電話機の無線ＬＡＮ通信部とホームシアターシステムのＬＡＮ通信部または無線ＬＡＮ通信部などの、データ通信可能な通信モジュールを用いることにより、携帯電話機からホームシアターシステムにコンテンツデータを送信するようにしてもよい。
【００５５】
また、上記実施形態では、無線ＬＡＮ通信部を用いることにより、携帯電話機からホームシアターシステムにオン状態に切り替える通信信号を送信した例について示したが、本発明はこれに限られない。本発明では、３Ｇ回線通信部を用いることにより、携帯電話機からホームシアターシステムにオン状態に切り替える通信信号を送信するようにしてもよい。
【００５６】
また、上記実施形態では、本発明の位置特定部の一例として、ＧＰＳ通信部を用いた例について示したが、本発明はこれに限られない。たとえば、近隣の３Ｇ回線キャリアの基地局と３Ｇ回線通信部を用いて通信することにより、基地局の位置に基づいて位置情報を特定するなど、ＧＰＳ通信部以外の位置特定部を用いてもよい。
【符号の説明】
【００５７】
１  コンテンツ再生システム
１０  携帯電話機（携帯機器）
１１  携帯電話機本体（携帯機器本体）
１３  スピーカ（第２出力部）
１４  ＣＰＵ（制御部）
１５  メモリ（記憶部）
１６  コンテンツ処理部（再生部）
１７  ＧＰＳ通信部（位置特定部）
１８  Ｂｌｕｅｔｏｏｔｈ通信部（第１通信部、通信部）
１９  無線ＬＡＮ通信部（第３通信部）
３０  ホームシアターシステム（コンテンツ出力機器）
３２  スピーカ（第１出力部）
３７  Ｂｌｕｅｔｏｏｔｈ通信部（第２通信部）
【図１】
2012182609.tif 000003
【図２】
2012182609.tif 000004
【図３】
2012182609.tif 000005
【図４】
2012182609.tif 000006